(57)【要約】      （修正有）【課題】印刷をキャンセルした際，キャンセル指令によって印刷ジョブの印刷済みの最終ページとなった印刷最終ページを把握できる印刷装置を提供する。【解決手段】プリンタ１００は，印刷実行中に，印刷ジョブのキャンセル指令を検出する。そして，キャンセル指令を検出した場合には，キャンセル対象となった印刷ジョブの，印刷済みの最終ページとなったページをユーザに認識させる情報（ページ番号や，ページ画像等）を出力する。情報を出力する方法としては，例えば，操作パネル４０の表示部への表示や，用紙への印刷が該当する。【選択図】図１
2012086457.tif 000002
【特許請求の範囲】
【請求項１】
印刷実行中の印刷ジョブのキャンセル指令を検出する検出手段と，
前記キャンセル指令を検出したことに連動して，前記キャンセル指令によって当該印刷ジョブの印刷済みの最終ページとなった印刷最終ページをユーザに認識させる情報を出力する出力手段と，
を備えることを特徴とする印刷装置。
【請求項２】
請求項１に記載する印刷装置において，
前記出力手段は，キャンセル対象となった印刷ジョブに後続する印刷ジョブである後続ジョブがある場合に前記情報を出力することを特徴とする印刷装置。
【請求項３】
請求項２に記載する印刷装置において，
前記出力手段は，後続ジョブが前記キャンセル対象となった印刷ジョブと同じ排紙先を利用する場合に前記情報を出力することを特徴とする印刷装置。
【請求項４】
請求項１から請求項３のいずれか１つに記載する印刷装置において，
前記検出手段によって検出されるキャンセル指令には，自装置に設けられた操作パネルからの自装置キャンセル指令と，通信回線を介して接続された情報処理装置からの他装置キャンセル指令とがあり，
前記出力手段は，前記他装置キャンセル指令の場合に前記情報を出力することを特徴とする印刷装置。
【請求項５】
請求項１から請求項４のいずれか１つに記載する印刷装置において，
前記出力手段は，自装置に設けられた表示部あるいは通信回線を介して接続された情報処理装置の表示部に，印刷最終ページのイメージ画像を出力することを特徴とする印刷装置。
【請求項６】
請求項１から請求項５のいずれか１つに記載する印刷装置において，
前記出力手段は，用紙上に前記情報を出力することを特徴とする印刷装置。
【請求項７】
請求項６に記載する印刷装置において，
前記出力手段は，印刷最終ページを印刷する用紙に前記情報を出力することを特徴とする印刷装置。
【請求項８】
請求項６に記載する印刷装置において，
前記出力手段は，自装置の用紙搬送路内に滞留している用紙がある場合に，その滞留用紙に前記情報を出力することを特徴とする印刷装置。
【請求項９】
請求項６から請求項８のいずれか１つに記載する印刷装置において，
前記出力手段は，用紙の端部に前記情報を出力することを特徴とする印刷装置。
【請求項１０】
請求項６から請求項９のいずれか１つに記載する印刷装置において，
前記出力手段は，カラー印刷が可能であり，先に印刷が完了したページがモノクロ印刷であった場合に，カラー印刷に切り換えて用紙上に前記情報を出力することを特徴とする印刷装置。
【請求項１１】
請求項１から請求項１０のいずれか１つに記載する印刷装置において，
前記出力手段は，印刷最終ページが印刷ジョブの最終ページであれば，前記情報を出力しないことを特徴とする印刷装置。
【発明の詳細な説明】
【技術分野】
【０００１】
本発明は，印刷実行中の印刷ジョブをキャンセルする機能を有する印刷装置に関する。
【背景技術】
【０００２】
従来から，印刷ジョブを印刷している最中に，その印刷のキャンセル指令を検出する印刷装置が知られている。印刷装置は，キャンセル指令を検出すると，その印刷ジョブの印刷を実行途中で中止する。
【０００３】
印刷ジョブのキャンセル技術が記載された文献としては，例えば特許文献１がある。特許文献１では，印刷ジョブの印刷中にキャンセルが指示された際，装置内にピック済みの未印刷の用紙（滞留用紙）があり，後続ジョブの用紙サイズと合致する場合には，その滞留用紙に後続ジョブの印刷を行う技術が開示されている。
【先行技術文献】
【特許文献】
【０００４】
【特許文献１】特開２００５−３１９６３８号公報
【発明の概要】
【発明が解決しようとする課題】
【０００５】
しかしながら，前記した従来の印刷装置には，次のような問題があった。すなわち，ジョブのキャンセルを指示したユーザは，どのページでキャンセルが受け付けられたのかがわからない。そのため，印刷が完了したページをすべて回収できたのか否かを特定できない。例えば，キャンセル対象となった印刷ジョブの後半を後続ジョブのユーザによって持ち去られたとしても，そのことを把握するのが困難である。
【０００６】
本発明は，前記した従来の印刷装置が有する問題点を解決するためになされたものである。すなわちその課題とするところは，印刷をキャンセルした際，キャンセル指令によって印刷ジョブの印刷済みの最終ページとなった印刷最終ページを把握できる印刷装置を提供することにある。
【課題を解決するための手段】
【０００７】
この課題の解決を目的としてなされた印刷装置は，印刷実行中の印刷ジョブのキャンセル指令を検出する検出手段と，キャンセル指令を検出したことに連動して，キャンセル指令によって当該印刷ジョブの印刷済みの最終ページとなった印刷最終ページをユーザに認識させる情報を出力する出力手段とを備えることを特徴としている。
【０００８】
本発明の印刷装置は，印刷実行中に，印刷ジョブのキャンセル指令を検出する。そして，キャンセル指令を検出したことに連動して，キャンセル対象となった印刷ジョブの，印刷済みの最終ページとなったページ（印刷最終ページ）をユーザに認識させる情報を出力する。印刷最終ページを認識できる情報としては，例えば，ページ番号，ページ画像，あるいは印刷最終ページであることを示すマークや文字列が該当する。情報を出力する方法としては，例えば，表示部への表示や，用紙への印刷が該当する。
【０００９】
すなわち，本発明の印刷装置では，印刷実行中の印刷ジョブをキャンセルした際，印刷最終ページを認識できる情報を，そのキャンセルに連動して出力する。これにより，ユーザは，キャンセル対象となった印刷ジョブについて，どのページまでの印刷が完了しているかを把握できる。
【００１０】
また，本発明の印刷装置の出力手段は，キャンセル対象となった印刷ジョブに後続する印刷ジョブである後続ジョブがある場合に，情報を出力するとよい。情報を出力するには，例えば，表示画面の切り替えや，トナーの消費を伴う。このことから，情報の出力を頻繁に行うのは好ましくない。一方で，後続ジョブが無い場合には，排紙先には，キャンセル対象となった印刷ジョブの印刷最終ページの上に直ちに排紙される印刷物はなく，他人に印刷ジョブの後半を持ち去られたことを把握できないという状況が起こり難い。また，印刷最終ページの区別は容易である。そこで，後続ジョブがあることを条件として印刷最終ページの情報を出力する方が，ユーザの利便性を効率良く高める上で好ましい。
【００１１】
また，上記の出力手段は，後続ジョブがキャンセル対象となった印刷ジョブと同じ排紙先を利用する場合に，情報を出力するとよい。後続ジョブが違う排紙先を利用するのであれば，キャンセル対象となった印刷ジョブの印刷物と後続ジョブの印刷物とは混在しない。そのため，後続ジョブがあった場合であっても，排紙先が異なる場合には，印刷最終ページの情報を出力しない方が，ユーザの利便性をより効率良く高める上で好ましい。
【００１２】
また，検出手段によって検出されるキャンセル指令には，自装置に設けられた操作パネルからの自装置キャンセル指令と，通信回線を介して接続された情報処理装置からの他装置キャンセル指令とがあり，出力手段は，他装置キャンセル指令の場合に情報を出力するとよい。他装置キャンセル指令の場合には，キャンセル後の印刷装置の動作をユーザが確認し難い上，第三者が介入しやすい。一方で，自装置キャンセル指令の場合には，そのような問題が生じ難い。そのため，他装置キャンセル指令の場合に，印刷最終ページの情報を出力するように構成する方が，ユーザの利便性をより効率良く高める上で好ましい。
【００１３】
また，本発明の印刷装置の出力手段は，自装置に設けられた表示部あるいは通信回線を介して接続された情報処理装置の表示部に，印刷最終ページのイメージ画像を出力するとよい。イメージ画像を出力することで，ユーザは印刷最終ページを見分け易い。
【００１４】
また，本発明の印刷装置の出力手段は，用紙上に情報を出力するとよい。用紙に情報を直接印刷することで，ユーザは印刷最終ページを見分け易い。
【００１５】
また，上記の出力手段は，印刷最終ページを印刷する用紙に情報を出力するとよい。この構成によると，新たな用紙を使用せずに出力できるため，資源の無駄が少ない。また，上記の出力手段は，自装置の用紙搬送路内に滞留している用紙がある場合に，その滞留用紙に情報を出力する構成であってもよい。この構成によると，滞留用紙を有効活用できる。
【００１６】
また，上記の出力手段は，用紙の端部に情報を出力するとよい。印刷物が用紙束になった際，用紙の端部に情報が印刷されていると，その情報を見つけ易い。また，上記の出力手段は，カラー印刷が可能であり，先に印刷が完了したページがモノクロ印刷であった場合に，カラー印刷にに切り換えて用紙上に前記情報を出力してもよい。モノクロの印刷物の中にカラーの印刷物があると，その印刷物を見つけ易い。
【００１７】
また，本発明の印刷装置の出力手段は，印刷最終ページが印刷ジョブの最終ページであれば，情報を出力しないとよい。印刷最終ページが印刷ジョブの最終ページであれば，キャンセル対象の印刷ジョブは全てのページが印刷済みとなる。そのため，情報を報知する必要性が低い。そこで，印刷最終ページが印刷ジョブの最終ページの場合には，印刷最終ページの情報を出力しないようにすることで，ユーザの利便性をより効率良く高めることができる。
【発明の効果】
【００１８】
本発明によれば，印刷をキャンセルした際，キャンセル指令によって印刷ジョブの印刷済みの最終ページとなった印刷最終ページを把握できる印刷装置が実現される。
【図面の簡単な説明】
【００１９】
【図１】実施の形態にかかる印刷システムの電気的構成を示すブロック図である。
【図２】印刷システムに含まれるプリンタの機能構成を示すブロック図である。
【図３】キャンセル実行時の用紙の使用例（その１）を示す図である。
【図４】キャンセル実行時の用紙への報知例（その１）を示す図である。
【図５】キャンセル実行時の用紙の使用例（その２）を示す図である。
【図６】キャンセル実行時の用紙への報知例（その２）を示す図である。
【図７】プリンタによるキャンセル報知処理の手順を示すフローチャートである。
【図８】報知先の情報を記憶するデータベースの構成を示す図である。
【図９】プリンタによる報知画像出力の手順を示すフローチャートである。
【発明を実施するための形態】
【００２０】
以下，本発明にかかる印刷装置を具体化した実施の形態について，添付図面を参照しつつ詳細に説明する。本形態は，キャンセル指令の入力によって印刷実行中の印刷ジョブをキャンセルするプリンタに本発明を適用したものである。
【００２１】
［印刷システムの全体構成］
本形態の印刷システムは，図１に示すように，印刷機能を有するプリンタ１００と，プリンタ１００に印刷データを出力するＰＣ（パーソナルコンピュータ）２００とを備えている。印刷システムでは，プリンタ１００とＰＣ２００とがイーサネット（登録商標）等のネットワーク３００を介して接続されている。なお，印刷システムを構成するプリンタ，ＰＣはそれぞれ何台接続されていてもよい。また，印刷システムには，その他の情報処理装置や画像処理装置を接続してもよい。
【００２２】
プリンタ１００は，ＣＰＵ３１（検出手段，出力手段の一例）と，ＲＯＭ３２と，ＲＡＭ３３と，ＮＶＲＡＭ（Non Volatile RAM）３４と，ＡＳＩＣ３５と，ネットワークインターフェース３７（出力手段，検出手段の一例）とを備えた制御部３０を備えている。また，制御部３０は，用紙に画像を形成する画像形成部１０と，動作状況の表示やユーザによる入力操作の受け付けを行う操作パネル４０（出力手段，検出手段の一例）とに電気的に接続されている。
【００２３】
ＲＯＭ３２には，プリンタ１００を制御するための制御プログラムであるファームウェアや各種設定，初期値等が記憶されている。ＲＡＭ３３は，各種制御プログラムが読み出される作業領域として，あるいは画像データを一時的に記憶する記憶領域として利用される。
【００２４】
ＣＰＵ３１は，ＲＯＭ３２から読み出した制御プログラムや各種センサから送られる信号に従って，その処理結果をＲＡＭ３３またはＮＶＲＡＭ３４に記憶させながら，プリンタ１００の各構成要素を，ＡＳＩＣ３５を介して制御する。
【００２５】
ネットワークインターフェース３７は，外部装置との通信を可能にするインターフェースである。本形態では，ネットワークインターフェース３７を介してＰＣ２００等とのデータの送受信を行う。
【００２６】
ＰＣ２００は，ＣＰＵ，ＲＯＭ，ＲＡＭ，ＨＤＤ，キーボードやマウス等からなる操作部，液晶ディスプレイ等からなる表示部，およびネットワークインターフェースを備える一般的なものであればよい。ＰＣ２００には，プリンタ１００用のプリンタドライバがＨＤＤに組み込まれており，プリンタ１００に対して印刷ジョブを送信する。
【００２７】
また，ＰＣ２００は，印刷ジョブの送信途中にキャンセルが入力された場合，印刷ジョブの送信を中止するとともにプリンタ１００に印刷キャンセル指令を送信する。また，印刷ジョブの送信後にキャンセルが入力された場合，プリンタ１００に印刷キャンセル指令を印刷ジョブの識別情報とともに送信する。
【００２８】
［プリンタの構成］
続いて，プリンタ１００の内部構成について，図２を参照しつつ説明する。プリンタ１００は，印刷前の用紙を収容する給紙カセット９１と，用紙に印刷を行う画像形成部１０と，画像形成部１０で印刷された用紙の排紙先となる排紙トレイ９２，９３とを備えている。画像形成部１０は，印刷対象のカラー画像を形成できるものであればよく，電子写真方式であってもインクジェット方式であってもよい。すなわち，プリンタ１００は，ページプリンタであってもシリアルプリンタであってもよい。また，カラープリンタであっても，モノクロプリンタであってもよい。
【００２９】
また，プリンタ１００内には，底部に位置する給紙カセット９１に収容された用紙が，給紙ローラ７１，レジストローラ７２，画像形成部１０を通り，排紙ローラ７３を介して排紙トレイ９２への導かれるように，略Ｓ字形状の搬送路１１（図２中の一点鎖線）が設けられている。さらに，プリンタ１００内には，搬送路１１の用紙搬送方向の画像形成部１０よりも下流側であって排紙ローラ７３よりも上流側の位置で搬送路１１と分岐し，排紙ローラ７４を介して排紙トレイ９３に導かれる搬送路１２（図２中の二点鎖線）が設けられている。
【００３０】
プリンタ１００は，印刷指令を検出すると，用紙を給紙カセット９１からピックし，搬送路１１に搬入する。そして，ピックした用紙を，画像形成部１０に搬送し，印刷対象の画像をその用紙に印刷する。印刷後の用紙は，排紙トレイ９２あるいは排紙トレイ９３に排紙される。
【００３１】
また，プリンタ１００は，複数枚の用紙に印刷する印刷ジョブを印刷する場合，あるいは複数の印刷ジョブがジョブキューに登録された場合，１枚目の用紙を搬送路１１に搬入した後，その用紙が排紙トレイ９２あるいは排紙トレイ９３に排紙される前に２枚目の用紙の搬送を開始する。すなわち，プリンタ１００は，複数枚の用紙を搬送路１１，１２に搬送しながら印刷動作を継続する。
【００３２】
［印刷キャンセルの概要］
続いて，プリンタ１００の印刷実行中の印刷ジョブのキャンセルについて説明する。本形態のプリンタ１００では，ＰＣ２００からの遠隔操作や，操作パネル４０への入力操作によって，印刷ジョブをキャンセルすることができる。さらに，プリンタ１００では，印刷ジョブのキャンセル後，キャンセルの実行を知らせる画像（以下，「報知画像」とする）を出力する。
【００３３】
具体的に，例えば８ページのジョブＡと２ページのジョブＢとが，ジョブＡ，ジョブＢの順にジョブキューに登録され，ジョブＡの印刷動作中であったとする。このような状況で，ジョブＡの４ページ目の印刷途中でキャンセル指令が入力されると，図３に示すように，４ページ目の印刷が完了した後，ジョブＡの印刷を中止する。そして，印刷最終ページである４ページ目を印刷した用紙に後続する用紙に，報知画像を印刷する。その後，ジョブＡに後続する印刷ジョブであるジョブＢの印刷を開始する。
【００３４】
報知画像としては，例えば図４に示すように，特定の図柄の画像や，キャンセルされたことを認識させる文章が該当する。文章を印字する際には，印刷が完了した最終ページ（印刷最終ページ）の番号やキャンセル時刻を印字するとよい。報知画像を印刷することで，ユーザはジョブの区切りを把握できる。例えば，報知画像として特定の図柄だけを印刷したとしても，ユーザはその図柄を確認することでその図柄が印刷された用紙の直前の用紙が印刷最終ページであることを把握できる。
【００３５】
また，プリンタ１００が，印刷途中の用紙に報知画像を印刷可能な構成であれば，その印刷途中の用紙に印刷してもよい。例えば，図５に示すように，４ページ目の画像を印刷していた際にキャンセル指令を検出した場合，４ページ目の画像の印刷途中から報知画像の印刷を開始してもよい。この場合，図６に示すように，印刷途中のページの画像と報知画像とが１枚の用紙に印刷される。
【００３６】
［印刷キャンセルの動作］
続いて，前述した印刷キャンセルを実現する手順について説明する。なお，以下の説明では，ＰＣ２００からの遠隔操作によるキャンセル指令が入力された場合のキャンセル動作について説明する。
【００３７】
［キャンセル報知処理］
始めに，プリンタ１００のＣＰＵ３１によって実行されるキャンセル報知処理（出力手段，検出手段の一例）について，図７のフローチャートを参照しつつ説明する。キャンセル報知処理は，ＰＣ２００からのキャンセル指令を検出したことを契機に実行される。
【００３８】
先ず，キャンセル対象となった印刷ジョブに後続する印刷ジョブ（後続ジョブ）があるか否かを判断する（Ｓ１０１）。後続ジョブが無い，すなわちジョブキューにキャンセル対象の印刷ジョブ以外の印刷ジョブが登録されていない場合には，印刷ジョブをキャンセルするとともに印刷出力が止まるため，他人に印刷ジョブの後半を持ち去られたことを把握できないという状況が起こり難い。そのため，後続ジョブが無い場合には（Ｓ１０１：ＮＯ），報知画像を出力することなくキャンセル報知処理を終了する。
【００３９】
後続ジョブがある場合には（Ｓ１０１：ＹＥＳ），その後続ジョブが，キャンセル対象の印刷ジョブと同じ排紙トレイを使用するか否かを判断する（Ｓ１０２）。キャンセル対象の印刷ジョブと後続ジョブとが互いに異なる排紙トレイを使用する場合には，印刷ジョブをキャンセルするとともにキャンセル対象の印刷ジョブが使用していた排紙トレイへの印刷出力が止まるため，他人に印刷ジョブの後半を持ち去られたことを把握できないという状況が起こり難い。また，報知画像を出力しなくてもユーザは印刷最終ページを容易に把握できる。そのため，後続ジョブが同じ排紙トレイを使用しない場合にも（Ｓ１０２：ＮＯ），報知画像を出力することなくキャンセル報知処理を終了する。
【００４０】
後続ジョブが同じ排紙トレイを使用する場合には（Ｓ１０２：ＹＥＳ），印刷途中のキャンセルか否かを判断する（Ｓ１０３）。具体的には，印刷最終ページとなったページが，印刷ジョブの最終ページか否かを判断する。印刷ジョブの最終ページの印刷が開始された後は，その印刷ジョブに関する印刷物を全て出力すればよいため，印刷途中であることを報知する必要が少ない。そのため，印刷途中のキャンセルでない場合には（Ｓ１０３：ＮＯ），キャンセルが入力された事実を知らせるメッセージを出力する（Ｓ１１１）。Ｓ１１１の後，キャンセル報知処理を終了する。
【００４１】
なお，プリンタ１００は，図８に示すように，ユーザとそのユーザのメールアドレスを対応付けて記憶するデータベース１３１を有している。そのため，Ｓ１１１では，印刷ジョブに付属するユーザ情報からユーザと特定し，そのユーザにメッセージをメール送信する。この他，Ｓ１１１のメッセージの出力先は，例えばプリンタ１００の操作パネル４０が該当する。
【００４２】
一方，印刷途中のキャンセルの場合には（Ｓ１０３：ＹＥＳ），報知画像を出力する報知画像出力処理を実行する（Ｓ１０４）。Ｓ１０４の後，キャンセル報知処理を終了する。
【００４３】
ここで，報知画像出力処理の詳細手順を，図９のフローチャートを参照しつつ説明する。先ず，印刷途中の用紙（途中用紙）が使用可能か否かを判断する（Ｓ１２１）。例えば，シリアルプリンタであれば，印刷途中であっても，余白に余裕があれば報知画像を印刷できる（図６参照）。そのため，途中用紙が使用可能であれば（Ｓ１２１：ＹＥＳ），その途中用紙を報知画像を出力する用紙に決定する（Ｓ１２２）。
【００４４】
一方，途中用紙が使用可能でなければ（Ｓ１２１：ＮＯ），給紙カセット９１からピックされ，搬送路１１内に存在し，さら印刷前の用紙（以下，「滞留用紙」とする）があるか否かを判断する（Ｓ１３１）。すなわち，キャンセル指令によって搬送路１１内に取り残された用紙があるか否かを判断する。滞留用紙がある場合には（Ｓ１３１：ＹＥＳ），滞留用紙のうち，最も画像形成部１０に近い滞留用紙を，報知画像を出力する用紙に決定する（Ｓ１３２）。
【００４５】
Ｓ１２２またはＳ１３２によって報知画像を出力する用紙を決定した後，適宜，印刷設定を変更する（Ｓ１２３）。Ｓ１２３では，報知画像をユーザが見つけ易くなるように印刷設定を変更する。例えば，縁無し印刷に設定する。これにより，用紙の端部まで印刷されることになり，排紙トレイ上で束となった印刷物から，報知画像が印刷された用紙を簡単に見つけ出すことが期待できる。また，プリンタ１００がカラープリンタの場合には，カラー設定を変更する。例えば，キャンセル対象となった印刷ジョブがモノクロであった場合に，カラーに変更する。この場合，モノクロの印刷物の中でカラーの印刷物が存在することになり，報知画像が印刷された用紙を簡単に見つけ出すことが期待できる。
【００４６】
Ｓ１２３の後，Ｓ１２２またはＳ１３２によって決定した用紙に，報知画像を印刷する（Ｓ１２４）。Ｓ１２４の後，報知画像出力処理を終了する。なお，報知画像の印刷後は，後続ジョブの印刷を開始する。
【００４７】
一方，滞留用紙が無い場合には（Ｓ１３１：ＮＯ），印刷ジョブに付属するユーザ情報からユーザと特定し，図８に示したデータベース１３１を参照して，特定したユーザのメールアドレスを取得する（Ｓ１４１）。さらに，印刷最終ページとなったページ番号を特定する（Ｓ１４２）。そして，印刷最終ページのイメージ画像データ（以下，「報知データ」とする。例えば，ＪＰＥＧ画像）を取得する（Ｓ１４３）。そして，その報知データを，電子メールに添付し，その電子メールをＳ１４１で取得したメールアドレスに送信する（Ｓ１４４）。Ｓ１４４の後，報知画像出力処理を終了する。
【００４８】
すなわち，キャンセル指令を入力した後，ユーザは，報知画像が印刷された用紙と，報知データとの一方を受け取ることができる。具体的に，印刷途中の用紙や滞留用紙が利用可能であれば報知画像を印刷する。一方，報知画像の出力に新たな用紙をピックする必要がある場合には，報知データをキャンセル指令元のＰＣ２００に送信する。これにより，ユーザは，どのページでキャンセルが受け付けられたのかを把握できる。
【００４９】
なお，本形態では，滞留用紙が無かった場合には（Ｓ１３１：ＮＯ），報知データを電子メールで送信しているが，新たな用紙をピックし，その用紙に報知画像を印刷するようにしてもよい。また，本形態では，報知画像が印刷された用紙と，報知データとの一方を出力しているが，両方出力してもよい。例えば，キャンセル指令を検出したことに連動して必ず報知画像を印刷するようにし，さらに報知画像の印刷後に必ず報知データを送信するように構成してもよい。
【００５０】
また，本形態では，ＰＣ２００からの遠隔操作によるキャンセル指令が入力された場合のキャンセル動作であるが，プリンタ１００の操作パネル４０からの手入力によるキャンセル指令が入力された場合であっても適用可能である。この構成では，Ｓ１３１で滞留用紙が無かった場合，例えば，操作パネル４０の表示部に印刷最終ページを認識させるメッセージを表示してもよいし，新たな用紙をピックしてその用紙に報知画像を印刷してもよい。
【００５１】
以上詳細に説明したように本形態のプリンタ１００では，印刷実行中の印刷ジョブをキャンセルした際，印刷最終ページを認識できる情報（例えば，報知画像や報知データ）を，そのキャンセルに連動して，用紙や印刷ジョブの送信元等に出力する。これにより，ユーザは，キャンセル対象となった印刷ジョブについて，どのページまでの印刷が完了しているかを把握できる。
【００５２】
なお，本実施の形態は単なる例示にすぎず，本発明を何ら限定するものではない。したがって本発明は当然に，その要旨を逸脱しない範囲内で種々の改良，変形が可能である。例えば，プリンタは，印刷機能を備えるものであればよく，複合機や複写機であっても適用可能である。
【００５３】
また，実施の形態では，後続ジョブが存在しない場合には，報知画像の印刷等の印刷最終ページを把握させる情報を出力を行っていないが，後続ジョブの存在に関係なく当該情報を出力してもよい。また，実施の形態では，後続ジョブが異なる排紙トレイを使用する場合には，上記情報の出力を行っていないが，後続ジョブで使用する排紙トレイに関係なく当該情報を出力してもよい。
【００５４】
また，実施の形態では，印刷最終ページのイメージ画像データである報知データを，メールに添付し，ＰＣ２００で表示可能にしているが，その報知データをプリンタ１００の操作パネル４０の表示部に表示してもよい。
【符号の説明】
【００５５】
１０    画像形成部
４０    操作パネル
１００  プリンタ
２００  ＰＣ
【図１】
2012086457.tif 000003
【図２】
2012086457.tif 000004
【図３】
2012086457.tif 000005
【図４】
2012086457.tif 000006
【図５】
2012086457.tif 000007
【図６】
2012086457.tif 000008
【図７】
2012086457.tif 000009
【図８】
2012086457.tif 000010
【図９】
2012086457.tif 000011